(57)【要約】【課題】外観から抵抗の実装状態、つまり、外観から電子部品の種類を確認でき、かつ、装置内に組み込まれて抵抗の実装状態を確認できない状況でも、電子部品の種類を判別可能にする場合に、専用回路の増加を少なくできる電子機器、電子機器の検査装置、電子部品の種類判別方法、および、電子機器の検査方法を提供する。【解決手段】電子部品を有する電子機器は、電源からの電圧を前記電子部品に供給する配線と、配線の一部を介して電源の一方の端子に一端が接続された第１抵抗と、電子部品の種類が特定種類である場合に電子機器に実装されると共に第１抵抗の他端と電源の他方の端子の間に接続される第２抵抗が、電子機器に実装されているか否かを示す判別結果を、第１抵抗の他端の電圧に基づいて出力する判別手段と、を含む。【選択図】図１
2010109213.tif 000002
【特許請求の範囲】
【請求項１】
電子部品を有する電子機器であって、
電源からの電圧を前記電子部品に供給する配線と、
前記配線の一部を介して前記電源の一方の端子に一端が接続された第１抵抗と、
前記電子部品の種類が特定種類である場合に前記第１抵抗の他端と前記電源の他方の端子の間に接続されて前記電子機器に実装される第２抵抗が、前記電子機器に実装されているか否かを、前記第１抵抗の他端の電圧に基づいて判別し、その判別結果を出力する判別手段と、を含む電子機器。
【請求項２】
請求項１に記載の電子機器において、
前記電子部品は、ＬＥＤであり、
前記電子部品の種類は、前記ＬＥＤの発光色の種類であり、
前記特定種類は、特定の発光色である、電子機器。
【請求項３】
請求項１または２に記載の電子機器において、
前記判別手段は、前記判別結果に基づいて、前記電子部品の動作を制御する、電子機器。
【請求項４】
請求項３に記載の電子機器において、
前記判別手段は、前記判別結果に基づいて、前記電子部品に流れる電流を制御する、電子機器。
【請求項５】
請求項１から４のいずれか１項に記載の電子機器から前記判別結果を受け付ける受付手段と、
前記受付手段にて受け付けられた判別結果に基づいて、前記電子機器内の電子部品の種類が前記特定種類であるか否かを判定する検査制御手段と、を含む電子機器の検査装置。
【請求項６】
請求項５に記載の電子機器の検査装置において、
前記電子機器は、当該電子機器の識別情報を有するものであり、
前記識別情報に対応づけて、前記電子機器内の電子部品の種類を示す種類情報を格納する格納手段と、
前記電子機器から前記識別情報を読み出す読み出し手段と、をさらに含み、
前記検査制御手段は、前記読み出し手段にて読み出された識別情報に対応する種類情報を、前記格納手段から読み出し、当該種類情報と前記判定の結果とに基づいて、前記電子機器の良否を判定する、電子機器の検査装置。
【請求項７】
電子機器内の電子部品の種類判別方法であって、
前記電子機器は、前記電子部品と、電源からの電圧を前記電子部品に供給する配線と、前記配線の一部を介して前記電源の一方の端子に一端が接続された第１抵抗と、を含むものであり、
前記第１抵抗の他端の電圧を検出し、
前記電子部品の種類が特定種類である場合に前記第１抵抗の他端と前記電源の他方の端子の間に接続されて前記電子機器に実装される第２抵抗が、前記電子機器に実装されているか否かを、前記第１抵抗の他端の電圧に基づいて判別し、その判別結果を出力する出力する、電子部品の種類判別方法。
【請求項８】
請求項７に記載の電子部品の種類判別方法において、
前記電子部品は、ＬＥＤであり、
前記電子部品の種類は、前記ＬＥＤの発光色の種類であり、
前記特定種類は、特定の発光色である、電子部品の種類判別方法。
【請求項９】
電子機器の検査装置が行う電子機器の検査方法であって、
請求項１から４のいずれか１項に記載の電子機器から前記判別結果を受け付け、
前記判別結果に基づいて、前記電子機器内の電子部品の種類が前記特定種類であるか否かを判定する、電子機器の検査方法。
【請求項１０】
請求項９に記載の電子機器の検査方法において、
前記電子機器は、当該電子機器の識別情報を有するものであり、
前記電子機器から、当該電子機器の識別情報を読み出し、
前記識別情報に対応づけて前記電子機器内の電子部品の種類を示す種類情報を格納している格納手段から、当該識別情報に対応する種類情報を読み出し、当該種類情報と前記判定の結果とに基づいて、前記電子機器の良否を判定する、電子機器の検査方法。
【発明の詳細な説明】
【技術分野】
【０００１】
本発明は、電子機器、電子機器の検査装置、電子部品の種類判別方法、および、電子機器の検査方法に関する。
【背景技術】
【０００２】
電子機器である携帯電話等の端末では、同一機種には、同じ色の光を発するＬＥＤ（Light Emitting Diode）が実装されていた。しかし、最近のニーズの多様性により、同一機種の端末であっても、端末の操作部に、他の端末の操作部に実装されたＬＥＤとは異なる色を発するＬＥＤが実装されるようになってきている。
【０００３】
一般的に、同一機種の端末に使用される操作部の基板は、全て同一形状であり、また、端末の操作部の基板に搭載されているＬＥＤは、発光色が異なっても、同じ外観である。
【０００４】
このため、同一機種の端末に使用される基板に搭載されたＬＥＤが何色の光を発するのかは、外観から判別できない。換言すると、同一形状の基板上に搭載されたＬＥＤ（電子部品）の種類は、外観から判別できない。
【０００５】
特許文献１には、コンベア駆動部にて駆動されるコンベア搬送ベルトで基板を搬送し、基板上のＬＥＤに電源を供給し、点灯中のＬＥＤをカラーカメラで撮影し、その撮影された画像を用いて、ＬＥＤを判定する電子部品実装検査装置が記載されている。
【０００６】
特許文献２には、判定用抵抗が搭載されたパック電池が記載されている。
【０００７】
この判定用抵抗の抵抗値は、パック電池の特性または種別に応じて設定される。このため、判定用抵抗の抵抗値に応じて決定される電圧を検出することによって、パック電池の特性または種別を判別することが可能になる。
【０００８】
特許文献３には、抵抗チップの実装状態が基板上の電子部品の種類に応じて設定されている基板が記載されている。このため、抵抗チップの実装状態を確認することによって、外観から、基板上の電子部品の種類を判別可能になる。
【０００９】
また、特許文献３には、この抵抗チップの実装状態に応じて出力が変化する判定用回路も記載されている。このため、判定用回路の出力を検出することによって、電子部品の種類を判別可能になる。
【００１０】
なお、この判定用回路は、基板上の他の電子部品と電気的に分離された専用回路となっている。
【特許文献１】特開２００６−２３７５２２号公報
【特許文献２】特開２００４−２８８５３６号公報
【特許文献３】特開２００５−６４１７７号公報
【発明の開示】
【発明が解決しようとする課題】
【００１１】
特許文献１に記載の電子部品実装検査装置では、コンベア駆動部、コンベア搬送ベルトおよびカラーカメラが必要になり、構成が大きくなるという課題がある。
【００１２】
特許文献２に記載のパック電池は、判定用抵抗を用いて、パック電圧の特性または種別を判別する。このため、カラーカメラおよびコンベア等を不要にでき、構成の大型化を防止可能になる。
【００１３】
しかしながら、特許文献２に記載のパック電池では、判定用抵抗の抵抗値に応じて決定される電圧を検出しなければ、パック電池の特性または種別を判別することができない。つまり、外観から、パック電池（電子部品）の種類を判別することはできない。
【００１４】
特許文献３に記載の基板では、抵抗チップの実装状態が、基板上の電子部品の種類に応じて設定されている。このため、抵抗チップの実装状態を確認することによって、外観から、電子部品の種類を判別可能になる。また、カラーカメラおよびコンベア等を不要にでき、構成の大型化を防止可能になる。
【００１５】
また、特許文献３に記載の基板では、判定用回路の出力を検出することによって、電子部品の種類を判別可能になる。このため、基板が装置内に組み込まれ、抵抗チップの実装状態を確認できない状況でも、基板の種類を判別可能になる。
【００１６】
しかしながら、この判定用回路は、基板上の他の電子部品と電気的に独立した専用回路である。
【００１７】
よって、外観から抵抗チップの実装状態、つまり、外観から電子部品の種類を確認でき、かつ、装置内に組み込まれて抵抗チップの実装状態を確認できない状況でも、電子部品の種類を判別可能にする場合、判定用の専用回路が必要になり、専用回路が多くなるという課題があった。
【００１８】
なお、特許文献１および２には、上記課題が生じるための前提となる技術、具体的には、外観から抵抗の実装状態、つまり、外観から電子部品の種類を確認でき、かつ、装置内に組み込まれて抵抗の実装状態を確認できない状況でも、電子部品の種類を判別可能にする技術は、記載されていない。
【００１９】
このため、特許文献１および２に記載の技術では、当然のことながら、上記課題、具体的には、外観から抵抗の実装状態、つまり、外観から電子部品の種類を確認でき、かつ、装置内に組み込まれて抵抗の実装状態を確認できない状況でも、電子部品の種類を判別可能にする場合、判定用の専用回路が必要になり、専用回路が多くなるという課題は解決されていない。
【００２０】
本発明の目的は、上述した課題を解決可能な電子機器、電子機器の検査装置、電子部品の種類判別方法、および、電子機器の検査方法を提供することである。
【課題を解決するための手段】
【００２１】
本発明の電子機器は、電子部品を有する電子機器であって、電源からの電圧を前記電子部品に供給する配線と、前記配線の一部を介して前記電源の一方の端子に一端が接続された第１抵抗と、前記電子部品の種類が特定種類である場合に前記第１抵抗の他端と前記電源の他方の端子の間に接続されて前記電子機器に実装される第２抵抗が、前記電子機器に実装されているか否かを、前記第１抵抗の他端の電圧に基づいて判別し、その判別結果を出力する判別手段と、を含む。
【００２２】
本発明の電子機器の検査装置は、上記電子機器から前記判別結果を受け付ける受付手段と、前記受付手段にて受け付けられた判別結果に基づいて、前記電子機器内の電子部品の種類が前記特定種類であるか否かを判定する検査制御手段と、を含む。
【００２３】
本発明の電子部品の種類判別方法は、電子機器内の電子部品の種類判別方法であって、前記電子機器は、前記電子部品と、電源からの電圧を前記電子部品に供給する配線と、前記配線の一部を介して前記電源の一方の端子に一端が接続された第１抵抗と、を含むものであり、前記第１抵抗の他端の電圧を検出し、前記電子部品の種類が特定種類である場合に前記第１抵抗の他端と前記電源の他方の端子の間に接続されて前記電子機器に実装される第２抵抗が、前記電子機器に実装されているか否かを、前記第１抵抗の他端の電圧に基づいて判別し、その判別結果を出力する。
【００２４】
本発明の電子機器の検査方法は、電子機器の検査装置が行う電子機器の検査方法であって、上記電子機器から前記判別結果を受け付け、前記判別結果に基づいて、前記電子機器内の電子部品の種類が前記特定種類であるか否かを判定する。
【発明の効果】
【００２５】
本発明によれば、外観から抵抗の実装状態、つまり、外観から電子部品の種類を確認でき、かつ、装置内に組み込まれて抵抗の実装状態を確認できない状況でも、電子部品の種類を判別可能にする場合に、専用回路の増加を少なくすることが可能になる。
【発明を実施するための最良の形態】
【００２６】
以下、本発明の実施形態について図面を参照して説明する。
【００２７】
図１は、本発明の一実施形態の端末１０を示したブロック図である。
【００２８】
図１において、端末１０は、例えば、携帯電話である。なお、端末１０は、電子部品を有する電子機器であれば、携帯電話に限らず、適宜変更可能である。端末１０は、一般的に電子機器と呼ぶことができる。
【００２９】
端末１０は、ＬＥＤ１１〜１９と、抵抗２１〜２９と、電池３と、配線４と、抵抗５と、抵抗６１〜６２と、判別部７と、を含む。
【００３０】
ＬＥＤ１１〜１９のそれぞれは、一般的に電子部品と呼ぶことができる。ＬＥＤ１１〜１９は、同一の色を発する。例えば、ＬＥＤ１１〜１９として、Ａ色（例えば、赤色）の光を発するＬＥＤが用いられてもよいし、Ａ色以外のＢ色（例えば、緑色）の光を発するＬＥＤが用いられてもよい。
【００３１】
本実施形態では、ＬＥＤ１１〜１９として、Ａ色（赤色）の光を発するＬＥＤとＢ色（緑色）の光を発するＬＥＤとのいずれかが用いられるものとする。
【００３２】
以下では、ＬＥＤ１１〜１９として、Ｂ色（緑色）の光を発するＬＥＤが用いられたものとして説明する。
【００３３】
本実施形態では、電子部品の種類として、ＬＥＤ１１〜１９の発光色の種類を用いる。また、特定種類として、Ｂ色（特定の発光色）を用いる。
【００３４】
なお、ＬＥＤの数は９に限らず、適宜変更可能である。
【００３５】
抵抗２１〜２９のそれぞれは、ＬＥＤの電流制限用の抵抗である。ＬＥＤの電流制限用の抵抗の数は、ＬＥＤの数に応じて変動される。
【００３６】
電池３は、一般的に電源と呼ぶことができる。配線４は、電池３からの電圧を、ＬＥＤ１１〜１９のそれぞれに供給する。
【００３７】
抵抗５は、一般的に第１抵抗と呼ぶことができる。抵抗５は、配線４の一部を介して、電池３の一方の端子（本実施形態では、プラス側の端子）に、一端５ａが接続されている。なお、電池３の一方の端子は、マイナス側の端子でもよい。
【００３８】
抵抗６１および６２は、一般的に第２抵抗と呼ぶことができる。
【００３９】
抵抗６１および６２は、ＬＥＤ１１〜１９の発光色がＢ色である場合に、端末１０に実装される。さらに言えば、ＬＥＤ１１〜１９の発光色がＢ色である場合に、抵抗６１および６２は、抵抗５の他端５ｂと電池３の他方の端子（本実施形態では、マイナス側の端子）との間に接続されて端末１０に実装される。なお、電池３の一方の端子が、マイナス側の端子である場合、電池３の他方の端子は、プラス側の端子となる。
【００４０】
抵抗６１および６２が端末１０に実装されている場合、抵抗５の他端５ｂの電圧は、電池３のプラス側の端子の電圧を、抵抗６１および抵抗６２からなる並列回路と抵抗５とによって分圧した電圧となる。
【００４１】
なお、ＬＥＤ１１〜１９の発光色がＢ色以外の色である場合、抵抗６１および６２は、端末１０に実装されない。
【００４２】
この場合、抵抗５の他端５ｂの電圧は、電池３の一方の端子（本実施形態では、プラス側の端子）の電圧となる。
【００４３】
抵抗６１および６２は、パラレル接続となっている。この理由は、抵抗６１および６２の一方の抵抗に、半田ルーズ等の実装不良が発生した場合であっても、誤検出を防止できる効果を狙ったものである。なお、抵抗６１および６２のどちらかひとつのみが、第２抵抗として用いられてもよい。
【００４４】
判別部７は、一般的に判別手段と呼ぶことができる。判別部７は、抵抗５の他端５ｂの電圧を検出し、その検出された電圧に基づいて、抵抗６１および６２またはそのいずれかが端末１０に実装されているか否かを示す判別結果を出力する。
【００４５】
なお、抵抗６１および６２またはそのいずれかが端末１０に実装されていることは、ＬＥＤ１１〜１９の発光色がＢ色であることを意味する。また、抵抗６１および６２が端末１０に実装されていないことは、ＬＥＤ１１〜１９の発光色がＢ色でないこと、つまりＡ色であることを意味する。このため、判別結果は、ＬＥＤ１１〜１９の発光色がＢ色であるか否かを意味することになる。
【００４６】
判別部７は、検出信号入力部７１と、端末制御部７２と、インタフェース部７３と、ＬＥＤ制御部７４と、を含む。
【００４７】
検出信号入力部７１は、抵抗５の他端５ｂの電圧（以下「検出電圧」と称する）を検出する。検出信号入力部７１は、検出電圧を、予め定められた閾値と比較する。
【００４８】
この閾値は、電池３のプラス側の端子の電圧よりも低く、かつ、抵抗６１および６２が抵抗５の他端５ｂと電池３の他方の端子との間に接続された状況下での、抵抗５の他端５ｂの電圧よりも高い値に、予め設定されている。
【００４９】
検出信号入力部７１は、抵抗６１および６２またはそのいずれかが実装されている場合、つまり、ＬＥＤ１１〜１９がＢ色（緑色）の光を発するＬＥＤである場合、判別結果として、論理結果“Low”を、端末制御部７２に出力する。
【００５０】
論理結果“Low”は、抵抗６１および６２またはそのいずれかが端末１０実装されていること、つまり、ＬＥＤ１１〜１９の発光色がＢ色であることを意味する。
【００５１】
一方、抵抗６１および６２が実装されていない場合、つまり、ＬＥＤ１１〜１９がＡ色の光を発するＬＥＤである場合、検出信号入力部７１は、判別結果として、論理結果“Hi”を端末制御部７２に出力する。
【００５２】
論理結果“Hi”は、抵抗６１および６２が端末１０実装されていないこと、つまり、ＬＥＤ１１〜１９の発光色がＢ色でないこと、すなわち、Ａ色であることを意味する。
【００５３】
端末制御部７２は、端末１０の機能を制御する。
【００５４】
端末制御部７２は、検出信号入力部７１から判別結果を受け付けると、その判別結果を、インタフェース部７３を介して、外部の検査装置に出力する。なお、外部の検査装置については後述する。インタフェース部７３は、端末１０と外部の検査装置とを接続するために使用される。
【００５５】
また、端末制御部７２は、予め設定されているＬＥＤ１１〜１９のそれぞれの点灯条件および消灯条件に従って、ＬＥＤ制御部７４に、動作制御用のコマンドを送出する。
【００５６】
また、端末制御部７２は、検出信号入力部７１からの判別結果に基づいて、コマンドを適宜変更して、ＬＥＤ１１〜１９の動作を制御してもよい。
【００５７】
例えば、端末制御部７２は、検出信号入力部７１からの判別結果に基づいて、ＬＥＤ１１〜１９の種類ごとに、ＬＥＤ１１〜１９に流れる電流値が自動的に変わるように、コマンドを適宜変更してもよい。
【００５８】
例えば、判別結果が“Low”であった場合、つまり、ＬＥＤ１１〜１９がＢ色（緑色）の光を発するＬＥＤである場合、緑色は他の色（例えば、赤）に比べて人間が認識しにくいため、端末制御部７２は、他の発光色のＬＥＤよりも、ＬＥＤ１１〜１９に流れる電流値が多くなるように、コマンドを適宜変更してもよい。
【００５９】
また、端末制御部７２は、検出信号入力部７１からの判別結果に基づいて、ＬＥＤ１１〜１９の種類ごとに、ＬＥＤ１１〜１９の点滅の周期が変わるように、コマンドを適宜変更してもよい。
【００６０】
ＬＥＤ制御部７４は、ＬＥＤ１１〜１９の点灯を制御する。例えば、ＬＥＤ制御部７４は、端末制御部７２からのコマンドに基づき、ＬＥＤ１１〜１９のオン、オフ制御を行い、ＬＥＤ１１〜１９のそれぞれを点灯したり消灯したりする。
【００６１】
図２は、ＬＥＤ１１〜１９と抵抗２１〜２９が実装されている基板８の外観図である。基板８は、端末１０に内蔵される。図２において、図１に示したもとの同一構成のものには同一符号を付してある。
【００６２】
なお、図２では、基板８に実装されている電子部品のうち、ＬＥＤ１１〜１９と抵抗２１〜２９と抵抗６１および６２のみが示されている。このため、図２には、例えば、配線４および判別部７は示されていない。
【００６３】
図２は、ＬＥＤ１１〜１９の発光色がＢ色である場合の例であり、このため、抵抗６１および６２が、基板８に実装されている。
【００６４】
ＬＥＤ１１〜１９の発光色がＢ色以外の色（例えば、Ａ色）である場合は、抵抗６１および６２は、基板８に実装されない。
【００６５】
図３は、端末１０を電気的に検査する検査装置１００を示したブロック図である。図３において、図１に示したものと同一構成のものには同一符号を付してある。なお、図３において、端末１０については、外装ケースの一部が切り欠きされた図で示してある。
【００６６】
検査装置１００は、バーコードリーダー１０１と、受付部１０２と、データベース格納部１０３と、検査制御部１０４と、表示部１０５と、を含む。
【００６７】
端末１０には、銘板９が貼られている。銘板９には、端末１０の製造番号を示すバーコードデータが印字されている。端末１０の製造番号は、一般的に端末１０の識別情報と呼ぶことができる。なお、識別情報は、バーコードに限らず、例えば、２次元コードでもよく、適宜変更可能である。
【００６８】
バーコードリーダー１０１は、一般的に読み出し手段と呼ぶことができる。バーコードリーダー１０１は、銘板９に印字されているバーコードを読み出すと、そのバーコードが示す製造番号を、検査制御部１０４に出力する。
【００６９】
受付部１０２は、一般的に受付手段と呼ぶことができる。受付部１０２は、端末１０から判別結果を受け付けると、その判別結果を、検査制御部１０４に出力する。
【００７０】
データベース格納部１０３は、一般的に格納手段と呼ぶことができる。データベース格納部１０３は、端末の製造番号ごとに、その製造番号に対応づけて、その製造番号にて識別される端末内のＬＥＤの発光色を示す種類情報を格納している。
【００７１】
検査制御部１０４は、一般的に検査制御手段と呼ぶことができる。
【００７２】
検査制御部１０４は、受付部１０２から判別結果を受け付けると、その判別結果に基づいて、端末１０内のＬＥＤ１１〜１９が、Ｂ色の光を発するＬＥＤであるか否かを判定する。
【００７３】
本実施形態では、判別結果が、論理結果“Low”である場合、検査制御部１０４は、ＬＥＤ１１〜１９が、Ｂ色の光を発するＬＥＤであると判定する。一方、判別結果が、論理結果“Hi”である場合、検査制御部１０４は、ＬＥＤ１１〜１９が、Ｂ色の光を発するＬＥＤでない、つまり、Ａ色の光を発するＬＥＤであると判定する。
【００７４】
また、検査制御部１０４は、バーコードリーダー１０１から製造番号を受け付けると、その製造番号に対応する種類情報を、データベース格納部１０３から読み出す。
【００７５】
検査制御部１０４は、論理結果から得られた判定結果と、種類情報と、に基づいて、端末１０の良否を判定する。
【００７６】
例えば、論理結果から得られた判定結果と種類情報とが、同じ発光色を示す場合、検査制御部１０４は、端末１０が良品であると判定する。
【００７７】
一方、論理結果から得られた判定結果と種類情報とが、異なる発光色を示す場合、検査制御部１０４は、端末１０が不良品であると判定する。
【００７８】
検査制御部１０４は、端末１０の良否の判定結果を、表示部１０５に表示する。
【００７９】
次に、ＬＥＤの色識別方法について説明する。
【００８０】
図４は、ＬＥＤの色識別方法を説明するためのフローチャートである。
【００８１】
基板８に電子部品が搭載された後、基板８の目視検査工程において、ステップＳ１で、基板８に搭載されたＬＥＤ１１〜１９が適正であるかの確認が行われる。
【００８２】
発光色がＡ色のＬＥＤがＬＥＤ１１〜１９として実装された基板８では、抵抗６１および６２が未実装である。他方、発光色がＢ色のＬＥＤがＬＥＤ１１〜１９として実装された基板８では、抵抗６１および６２が実装されている。
【００８３】
目視検査工程では、例えば、Ａ色のＬＥＤがＬＥＤ１１〜１９として実装されているべき基板８において、抵抗６１および６２が未実装であると、その基板８は正常品（良品）であると判定される。
【００８４】
一方、Ａ色のＬＥＤがＬＥＤ１１〜１９として実装されているべき基板８において、抵抗６１および６２が実装されていると、その基板８は不良品であると判定される。
【００８５】
また、Ｂ色のＬＥＤがＬＥＤ１１〜１９として実装されているべき基板８において、抵抗６１および６２が実装されていると、その基板８は正常品（良品）であると判定される。
【００８６】
一方、Ｂ色のＬＥＤがＬＥＤ１１〜１９として実装されているべき基板８において、抵抗６１および６２が未実装であると、その基板８は不良品であると判定される。
【００８７】
この目視検査にて、端末１０の外装ケース内への誤った基板８の組込みは防止されるが、さらに、基板８が端末１０の外装ケース内に組み込まれた後の識別について説明する。
【００８８】
この検査においては、まず、ステップＳ２で、バーコードリーダー１０１が、端末１０に貼られている銘板９に印刷されているバーコードデータを読み出し、端末１０の製造番号を、検査制御部１０４に出力する。
【００８９】
続いて、ステップＳ３で、検査制御部１０４は、端末１０の製造番号を受け付けると、その製造番号に対応する種類情報を、データベース格納部１０３から読み出し、その種類情報が示すＬＥＤの発光色を確認して、端末１０内のＬＥＤ１１〜１９の発光色を識別する。すなわち、端末１０がＡ色を点灯させる端末であるか、Ｂ色を点灯させる端末であるかの識別が行われる。
【００９０】
検査制御部１０４は、端末１０がＡ色を点灯させる端末であると識別すると、ステップＳ４を実行し、一方、端末１０がＢ色を点灯させる端末であると識別すると、ステップ８４を実行する。
【００９１】
ステップＳ４では、受付部１０２は、インタフェース部７３を通して、検出信号入力部３０の判別結果（論理結果）を受け付け、その判別結果（論理結果）を検査制御部１０４に出力する。
【００９２】
続いて、ステップＳ５で、検査制御部１０４は、その判別結果が“Hi”であるか否かを判定する。その判別結果が“Hi”である場合、検査制御部１０４は、ステップＳ６で、端末１０は正常品（良品）であると判定する。一方、その判別結果が“Low”である場合、検査制御部１０４は、ステップＳ７で、端末１０は不良品であると判定する。
【００９３】
検査制御部１０４は、その判定結果を、表示部１０５に表示する。
【００９４】
一方、ステップＳ８では、受付部１０２は、インタフェース部７３を通して、検出信号入力部３０の判別結果（論理結果）を受け付け、その判別結果（論理結果）を検査制御部１０４に出力する。
【００９５】
続いて、ステップＳ９で、検査制御部１０４は、その判別結果が“Low”であるか否かを判定する。その判別結果が“Low”である場合、検査制御部１０４は、ステップＳ１０で、端末１０は正常品（良品）であると判定する。一方、その判別結果が“Hi”である場合、検査制御部１０４は、ステップＳ１１で、端末１０は不良品であると判定する。
【００９６】
検査制御部１０４は、その判定結果を、表示部１０５に表示する。
【００９７】
次に、本実施形態の効果を説明する。
【００９８】
本実施形態によれば、判別部７は、抵抗５の他端５ｂの電圧を検出し、その検出された電圧に基づいて、抵抗６１および６２またはそのいずれかが端末１０に実装されているか否かを示す判別結果を出力する。
【００９９】
抵抗６１および６２は、ＬＥＤ１１〜１９の発光色がＢ色である場合には、抵抗５の他端５ｂと電池３の他方の端子との間に接続されるように端末１０に実装され、一方、ＬＥＤ１１〜１９の発光色がＢ色以外の色である場合、端末１０に実装されない。
【０１００】
このため、抵抗６１および６２の搭載の有無を外観から確認することができ、この確認結果から、基板８に実装されているＬＥＤ１１〜１９の発光色を、容易に判別することが可能になる。
【０１０１】
さらに、抵抗６１および６２が端末１０の外装ケース内に組み込まれて、抵抗６１および６２の搭載の有無を外観から確認できない状態であっても、判別部７による電気的な判別の結果に基づいて、抵抗６１および６２の搭載の有無を確認することができる。この確認結果から、基板８に実装されているＬＥＤ１１〜１９の発光色を、容易に判別することが可能になる。
【０１０２】
また、判別部７による電気的な判別に使用される回路の一部として、ＬＥＤ１１〜１９に電源からの電圧を供給する配線の一部が使用される。このため、ＬＥＤ１１〜１９に電源からの電圧を供給する配線の一部が、電気的な判別に使用される回路に兼用され、専用回路の増加を少なくすることが可能になる。
【０１０３】
本実施形態では、電子部品として、ＬＥＤが用いられ、電子部品の種類として、ＬＥＤの発光色の種類が用いられ、特定種類として、特定の発光色が用いられる。
【０１０４】
しかしながら、電子部品はＬＥＤに限らず、例えばＩＣまたはトランジスタでもよく、適宜変更可能である。また、電子部品の種類も、ＬＥＤの発光色の種類に限らず、例えばＩＣの種類（制御動作の種類）でもよく、適宜変更可能である。また、特定種類も、特定の発光色に限らず、適宜変更可能である。
【０１０５】
いずれにしても、抵抗６１および６２の搭載の有無を外観から確認することができ、この確認結果から、電子機器に実装されている電子部品の種類を、容易に判別することが可能になる。
【０１０６】
さらに、抵抗６１および６２が端末１０の外装ケース内に組み込まれて、抵抗６１および６２の搭載の有無を外観から確認できない状態であっても、判別部７による電気的な判別の結果に基づいて、抵抗６１および６２の搭載の有無を確認することができる。この確認結果から、電子機器に実装されている電子部品の種類を、容易に判別することが可能になる。
【０１０７】
また、判別部７による電気的な判別に使用される回路の一部として、電子部品に電源からの電圧を供給する配線の一部が使用される。このため、電子部品に電源からの電圧を供給する配線の一部が、電気的な判別に使用される回路に兼用され、専用回路の増加を少なくすることが可能になる。
【０１０８】
なお、この効果は、図１に示した端末１０から抵抗２１〜２９が省略された端末でも奏する。
【０１０９】
本実施形態では、判別部７は、判別結果に基づいて、ＬＥＤ１１〜１９の動作を制御する。この場合、判別結果を、有効に使用することが可能になる。
【０１１０】
本実施形態では、判別部７は、判別結果に基づいて、ＬＥＤ１１〜１９に流れる電流を制御する。この場合、例えば、人間の目に認識されにくい色を発するＬＥＤには、人間の目に認識されやすい色を発するＬＥＤよりも多くの電流を流し、人間の目に認識されにくい色を発するＬＥＤからの光の輝度を上げることが可能になる。
【０１１１】
本実施形態では、検査制御部１０４は、受付部１０２から判別結果を受け付けると、その判別結果に基づいて、端末１０内のＬＥＤ１１〜１９が、Ｂ色の光を発するＬＥＤであるか否かを判定する。
【０１１２】
このため、抵抗６１および６２の有無を外観から確認できない状況でも、端末１０内のＬＥＤ１１〜１９の発光色を判定することが可能になる。
【０１１３】
本実施形態では、検査制御部１０４は、端末１０の識別情報を用いて得た種類情報と、論理結果から得られた判定結果と、に基づいて、端末１０の良否を判定する。この場合、端末１０の良否の判定を行うことが可能になる。
【０１１４】
以上説明した実施形態において、図示した構成は単なる一例であって、本発明はその構成に限定されるものではない。
【図面の簡単な説明】
【０１１５】
【図１】本発明の一実施形態の端末１０を示したブロック図である。
【図２】ＬＥＤ１１〜１９と抵抗２１〜２９が実装されている基板８の外観図である。
【図３】端末１０を電気的に検査する電子機器の検査装置１００を示したブロック図である。
【図４】ＬＥＤの色識別方法を説明するためのフローチャートである。
【符号の説明】
【０１１６】
１１〜１９  ＬＥＤ
２１〜２９、５、６１、６２  抵抗
３    電池
４    配線
５ａ  一端
５ｂ  他端
７    判別部
７１  検出信号入力部
７２  端末制御部
７３  インタフェース部
７４  ＬＥＤ制御部
８    基板
９    銘板
１０    端末
１００    検査装置
１０１    バーコードリーダー
１０２    受付部
１０３    データベース格納部
１０４    検査制御部
１０５    表示部
【図１】
2010109213.tif 000003
【図２】
2010109213.tif 000004
【図３】
2010109213.tif 000005
【図４】
2010109213.tif 000006